(57)【特許請求の範囲】
【請求項１】
香料含有マイクロカプセルと接着剤の混合物からなり被接着物に接着されるマイクロカプセル混合層と、接着剤からなる１層又は複数層の接着剤層とを備え、前記マイクロカプセル混合層上に前記接着剤層が形成されることにより前記香料含有マイクロカプセルからの香料の放出が抑えられるとともに、前記接着剤層の層の数を調整することにより前記香料含有マイクロカプセルからの香料の徐放期間を制御することができるように構成されたことを特徴とする香料含有マイクロカプセル担持体。
【請求項２】
前記接着剤層は、層状化合物を含有することを特徴とする請求項１記載の香料含有マイクロカプセル担持体。
【請求項３】
前記香料含有マイクロカプセル混合層及び前記接着剤層に用いられる接着剤は、乾燥後に柔軟性を有するポリマー系接着剤であることを特徴とする請求項１又は２記載の香料含有マイクロカプセル担持体。
【請求項４】
前記マイクロカプセル混合層及び前記接着剤層に用いられる接着剤は、剥離可能で再接着可能なポリマー系接着剤であることを特徴とする請求項１又は２記載の香料含有マイクロカプセル担持体。
【請求項５】
請求項１〜４のいずれか１項記載の香料含有マイクロカプセル担持体の前記マイクロカプセル混合層側を接着させた枕カバー。
【請求項６】
請求項１〜４のいずれか１項記載の香料含有マイクロカプセル担持体の前記マイクロカプセル混合層側を接着させたシーツ。
【発明の詳細な説明】
【技術分野】
【０００１】
本発明は、香料含有マイクロカプセル担持体並びにこれを接着させた枕カバー及びシーツに関する。
【背景技術】
【０００２】
繊維分野において、フレグランス成分として各種の香料を包含したマイクロカプセルが利用されている。このマイクロカプセルは、直接又はバインダーにより間接的に繊維に付着され、フレグランス成分を徐放するようになっている。
【０００３】
また、履物用中敷きにおいて、表面材と裏面材の間に、香料を内包した徐放性のマイクロカプセルを接着剤に混合させて介在させたものが開示されている（特許文献１）。
【０００４】
しかし、従来の香料を含有したマイクロカプセルは、マイクロカプセルの内部構造により香料の徐放期間が制御されるようになっている。したがって、徐放期間の大幅な変更を行うためには、マイクロカプセルの内部構造を変更する必要があった。
【先行技術文献】
【特許文献】
【０００５】
【特許文献１】特開２０００−２３６９１１号公報
【発明の概要】
【発明が解決しようとする課題】
【０００６】
そこで、本発明は、マイクロカプセルの内部構造を変更することなく香料の徐放期間を大幅に変更することのできる、香料含有マイクロカプセル担持体を提供することを目的とする。また、この香料含有マイクロカプセル担持体を接着させた枕カバー及びシーツを提供することを目的とする。
【課題を解決するための手段】
【０００７】
本発明の請求項１記載の香料含有マイクロカプセル担持体は、香料含有マイクロカプセルと接着剤の混合物からなり被接着物に接着されるマイクロカプセル混合層と、接着剤からなる１層又は複数層の接着剤層とを備え、前記マイクロカプセル混合層上に前記接着剤層が形成されることにより前記香料含有マイクロカプセルからの香料の放出が抑えられるとともに、前記接着剤層の層の数を調整することにより前記香料含有マイクロカプセルからの香料の徐放期間を制御することができるように構成されたことを特徴とする。
【０００８】
本発明の請求項２記載の香料含有マイクロカプセル担持体は、請求項１において、前記接着剤層は、層状化合物を含有することを特徴とする。
【０００９】
本発明の請求項３記載の香料含有マイクロカプセル担持体は、請求項１又は２において、前記香料含有マイクロカプセル混合層及び前記接着剤層に用いられる接着剤は、乾燥後に柔軟性を有するポリマー系接着剤であることを特徴とする。
【００１０】
本発明の請求項４記載の香料含有マイクロカプセル担持体は、請求項１又は２において、前記マイクロカプセル混合層及び前記接着剤層に用いられる接着剤は、剥離可能で再接着可能なポリマー系接着剤であることを特徴とする。
【００１１】
本発明の請求項５記載の枕カバーは、請求項１〜４のいずれか１項記載の香料含有マイクロカプセル担持体の前記マイクロカプセル混合層側を接着させたものである。
【００１２】
本発明の請求項６記載のシーツは、請求項１〜４のいずれか１項記載の香料含有マイクロカプセル担持体の前記マイクロカプセル混合層側を接着させたものである。
【発明の効果】
【００１３】
本発明の請求項１記載の香料含有マイクロカプセル担持体によれば、マイクロカプセル混合層上に接着剤層が形成されたことにより、マイクロカプセルの内部構造を変更することなく香料の徐放期間を大幅に拡大することができ、接着剤層の厚さを調整することにより香料の徐放期間を制御することができる。
【００１４】
本発明の請求項２記載の香料含有マイクロカプセル担持体によれば、層状化合物を含有することにより、香料の徐放期間を拡大することができる。
【００１５】
本発明の請求項３記載の香料含有マイクロカプセル担持体によれば、乾燥後に柔軟性を有するポリマー系接着剤を用いることにより、香料含有マイクロカプセル担持体を接着させた被接着物を折り曲げることより香料の放出を促進させることができる。
【００１６】
本発明の請求項４記載の香料含有マイクロカプセル担持体によれば、剥離可能で再接着可能なポリマー系接着剤を用いることにより、香料含有マイクロカプセル担持体を被接着物から剥離し、再接着することができる。
【００１７】
本発明の請求項５記載の枕カバーによれば、本発明の香料含有マイクロカプセル担持体を接着させた枕カバーを提供することができる。
【００１８】
本発明の請求項６記載のシーツによれば、本発明の香料含有マイクロカプセル担持体を接着させたシーツを提供することができる。
【図面の簡単な説明】
【００１９】
【図１】実施例１の香料含有マイクロカプセル担持体を示す模式図である。
【図２】実施例１の香料含有マイクロカプセル担持体を接着させた非接着体を折り曲げた様子を示す模式図である。
【図３】実施例１の香料含有マイクロカプセル担持体を被接着物から剥離し、再接着する様子を示す模式図である。
【図４】実施例２の香料含有マイクロカプセル担持体を別の実施例を示す模式図である。
【図５】実施例３の香料含有マイクロカプセル担持体の接着剤層の厚さと徐放時間の関係を示すグラフである。
【図６】実施例４の香料含有マイクロカプセル担持体に含まれる精油の種類別に行った官能評価試験の結果を示すグラフである。
【発明を実施するための形態】
【００２０】
本発明の香料含有マイクロカプセル担持体について、添付した図面を参照しながら説明する。
【実施例１】
【００２１】
本実施例の香料含有マイクロカプセル担持体を示す図１〜図３において、Ｓ０はマイクロカプセル混合層であり、マイクロカプセル混合層Ｓ０は、香料含有マイクロカプセル１と接着剤２の混合物からなる。香料含有マイクロカプセル１に含有される香料としては、各種の精油、固体香料などが挙げられる。マイクロカプセル混合層Ｓ０は、布や紙などの被接着物Ａに接着される。また、Ｓ１〜Ｓｎは、接着剤３からなる接着剤層であり、接着剤層Ｓ１〜Ｓｎは、マイクロカプセル混合層Ｓ０上に形成されている。マイクロカプセル混合層Ｓ０上に接着剤層Ｓ１〜Ｓｎを形成することにより香料含有マイクロカプセル１からの香料の放出が抑えられるため、香料含有マイクロカプセル１の内部構造を変更することなく香料の徐放期間を大幅に拡大することができる。また、接着剤層Ｓ１〜Ｓｎの層の数、すなわち、接着剤層の厚さを調整することにより香料の徐放期間を制御することができ、香料の徐放期間は、例えば１ヶ月から１年の間で制御することができる。
【００２２】
マイクロカプセル混合層Ｓ０に用いられる接着剤２と接着剤層Ｓ１〜Ｓｎに用いられる接着剤３は、好ましくは乾燥後に柔軟性を有するポリマー系接着剤であるが、特定の種類に限定されない。接着剤２，３として乾燥後に柔軟性を有するポリマー系接着剤を用いた場合は、図２に示すように伸曲自在となり、担持体を接着させた被接着物Ａを折り曲げることより、香料の放出を促進させることができる。なお、図２は、接着剤層Ｓ１が１層である場合を示している。
【００２３】
また、接着剤２，３として、剥離可能で再接着可能なポリマー系接着剤を用いることができる。剥離可能で再接着可能なポリマー系接着剤を用いた場合は、図３に示すように、香料含有マイクロカプセル担持体を布、紙や板などの被接着物Ａから剥離し、再接着することができる。なお、図３は、接着剤層Ｓ１が１層である場合を示している。このようなポリマー系接着剤としては、例えばアクリルゴム性接着剤、アクリル酸エステルモノマーを改質し剥離後の再接着性を持たせた接着剤などを用いることができる。
【実施例２】
【００２４】
本実施例の香料含有マイクロカプセル担持体を図４に示す。本実施例においては、２層の接着剤層Ｓ１〜Ｓ２中にそれぞれ層状化合物４が分散して含まれている。層状化合物４としては、マイカ（雲母）やマイカを含む粘土を用いることができる。層状化合物４を含有することにより、香料の徐放期間を拡大することができる。
【実施例３】
【００２５】
綿製布（１０ｃｍ×１０ｃｍ）に剥離後の再接着性を有するアクリルゴム性接着剤（住友スリーエム社製スプレーのり）を吹き付け、その上にユーカリ精油、グレープフルーツ精油、ジャスミン精油のそれぞれを包含したポリウレアマイクロカプセル、及びシダ精油を包含したメラミン樹脂マイクロカプセルの一定量を塗布し、マイクロカプセル混合層Ｓ０を形成してサンプルとした。また、マイクロカプセル混合層Ｓ０の上から剥離後の再接着性を有するアクリルゴム性接着剤を吹き付けて、接着剤層Ｓ１（１層）、接着剤層Ｓ１〜Ｓ２（２層）、接着剤層Ｓ１〜Ｓ３（３層）、接着剤層Ｓ１〜Ｓ４（４層）をそれぞれ形成してサンプルとした。そして、それぞれのサンプルからの精油成分の徐放時間をガスクロマトグラフィーにより測定した。
【００２６】
また、上記サンプルのそれぞれについて、マイクロカプセル混合層Ｓ０と接着剤層Ｓ１の間、接着剤層Ｓ１と接着剤層Ｓ２の間、接着剤層Ｓ２と接着剤層Ｓ３の間、接着剤層Ｓ３と接着剤層Ｓ４の間にそれぞれ層状化合物４としてマイカを添加したサンプルを作成して、それぞれのサンプルからの精油成分の徐放時間を測定した。
【００２７】
図５に香料含有マイクロカプセル担持体の接着剤層の厚さと徐放時間の関係を示す。接着剤層Ｓ１〜Ｓ４に層状化合物４を添加した場合と添加しない場合のいずれにおいても、接着剤層が厚くなる（接着剤層数が多くなる）にしたがって、徐放時間が大幅に拡大された。また、接着剤層Ｓ１〜Ｓ４に層状化合物４を添加した場合は、添加しない場合と比較して徐放期間が約５０％長くなった。
【実施例４】
【００２８】
ラベンダー精油、グレープフルーツ精油、ユーカリ精油、シダ精油のそれぞれを含有するマイクロカプセルを布（５ｃｍ×５ｃｍ）に担持させてサンプルを作成した。なお、マイクロカプセルの担持量を１ｇ／ｃｍ２としたもの、５ｇ／ｃｍ２としたもの、１０ｇ／ｃｍ２としたものの３種類のサンプルをそれぞれ作成した。そして、それぞれのサンプルについて官能評価試験を実施した。また、それぞれのサンプルを手で揉んでマイクロカプセルの一部を破壊した後に官能評価試験を実施した。
【００２９】
その結果を図６に示す。グレープフルーツ精油、ユーカリ精油、シダ精油は、マイクロカプセルから放出される成分により精神安定化効果（評価値が正の値）が見られ、サンプルを揉んだ後も精神安定化効果が維持された。一方、ラベンダー精油は、精神安定化効果が見られたが、サンプルを揉むと精油の放出量が増加し、精神高揚効果（評価値が負の値）へ移行した。
【実施例５】
【００３０】
枕カバー及びシーツに剥離後の再接着性を有するアクリルゴム性接着剤（住友スリーエム社製スプレーのり）を吹き付け、その上に精油を包含したマイクロカプセルを塗布し、さらにその上から剥離後の再接着性を有するアクリルゴム性接着剤を吹き付けて、枕カバー及びシーツに香料含有マイクロカプセル担持体を接着させた。
【００３１】
枕カバー及びシーツからは、香料含有マイクロカプセル担持体を剥離することができ、剥離と再接着を繰り返しても精油成分の徐放を継続することができた。
【実施例６】
【００３２】
住居の内装及び家具に剥離後の再接着性を有するアクリルゴム性接着剤（住友スリーエム社製スプレーのり）を吹き付け、その上に精油を包含したマイクロカプセルを塗布し、さらにその上から剥離後の再接着性を有するアクリルゴム性接着剤を吹き付けて、住居の内装及び家具に香料含有マイクロカプセル担持体を接着させた。
【実施例７】
【００３３】
ノートブックに剥離後の再接着性を有するアクリルゴム性接着剤（住友スリーエム社製スプレーのり）を吹き付け、その上に精油を包含したマイクロカプセルを塗布し、さらにその上から剥離後の再接着性を有するアクリルゴム性接着剤を吹き付けて、ノートブックに香料含有マイクロカプセル担持体を接着させた。
【産業上の利用可能性】
【００３４】
精油などの香料は、精神安定化効果、精神高揚効果、覚醒効果、抗菌・殺菌効果などを呈することがあるため、介護施設や宿泊施設における枕カバーやシーツのほか、室内装飾用建築材料、自動車内装材料、抗菌機能下着、化粧品、寝具用品、衛生材料などの分野においても利用可能である。また、マイクロカプセルを粉体として取扱うことにより、塗料の分野においても利用可能である。
【図１】
0005853398.tif 000002
【図２】
0005853398.tif 000003
【図３】
0005853398.tif 000004
【図４】
0005853398.tif 000005
【図５】
0005853398.tif 000006
【図６】
0005853398.tif 000007